(57)【特許請求の範囲】
【請求項１】
清掃体を備えた金属線材製の支持杆を、合成樹脂製の握柄に対して伸縮移動自在に取付け、この握柄に、前記支持杆の被係止部の伸縮移動経路に対して遠近方向に移動自在な係止操作体を設け、この係止操作体と握柄との相対向する部位の少なくとも一方には、係止操作体が伸縮移動経路側に最も近接する係止位置にあるとき、支持杆の被係止部を伸縮移動経路の複数位置で選択的に係止保持する係止部を形成し、
前記支持杆のうち、少なくとも握柄に対して伸縮移動自在に取付けられる部位が伸縮移動方向に沿って細長い環状に形成され、この細長環状杆部の先端における短辺側杆部分が前記被係止部に形成されている清掃具。
【請求項２】
清掃体を備えた金属線材製の支持杆を、合成樹脂製の握柄に対して伸縮移動自在に取付け、この握柄のうち、前記支持杆の被係止部の伸縮移動経路に臨む部位に、支持杆の被係止部を伸縮移動経路の複数位置で選択的に係止保持するための係止部を形成してある係止操作体を、伸縮移動経路側に最も近接する係止位置と支持杆の被係止部から離脱させた係止解除位置に揺動操作自在に枢着してある清掃具。
【請求項３】
前記支持杆のうち、少なくとも握柄に対して伸縮移動自在に取付けられる部位が伸縮移動方向に沿って細長い環状に形成され、この細長環状杆部の先端における短辺側杆部分が前記被係止部に形成されている請求項２記載の清掃具。
【請求項４】
前記握柄と係止操作体との間には、係止操作体の係止位置及び係止解除位置への切換え操作を許容する状態で該係止操作体を係止位置に係止保持可能な係止手段が設けられている請求項１〜３のいずれか１項に記載の清掃具。
【請求項５】
清掃体を備えた金属線材製の支持杆を、合成樹脂製の握柄に対して伸縮移動自在に取付け、この握柄に、前記支持杆の被係止部の伸縮移動経路に対して遠近方向に移動自在な係止操作体を設け、この係止操作体と握柄との相対向する部位の少なくとも一方には、係止操作体が伸縮移動経路側に最も近接する係止位置にあるとき、支持杆の被係止部を伸縮移動経路の複数位置で選択的に係止保持する係止部を形成し、
前記握柄と係止操作体との間には、係止操作体の係止位置及び係止解除位置への切換え操作を許容する状態で該係止操作体を係止解除位置に仮止め保持可能な仮止め保持手段が設けられている清掃具。
【請求項６】
前記握柄には、支持杆の細長環状杆部における長辺側杆部分を伸縮方向に摺動自在に案内するガイド溝が形成されている請求項１〜５のいずれか１項に記載の清掃具。
【請求項７】
前記握柄のうち、係止操作体の係止部と相対向する部位には、係止部に対応した係止位置に支持杆の被係止部を仮保持するための仮保持用係止部が形成されている請求項２記載の清掃具。
【発明の詳細な説明】
【技術分野】
【０００１】
本発明は、スポンジやブラシ等の清掃体を握柄に対して伸縮調節自在に構成してある清掃具に関する。
【背景技術】
【０００２】
食器洗浄等に用いられる清掃具としては従来から種々のものが提案されており、その一例を挙げると、例えば、特許文献１に開示されている清掃具の場合では、清掃体を備えた合成樹脂製の角棒状の支持柄を、筒状に成形された合成樹脂製の握柄の差し口に対して伸縮移動自在に挿入するとともに、前記握柄の差し口近くには、支持柄が伸縮移動する挿入孔に対して直行する方向で貫通する装着口を形成し、この装着口には、支持柄に長手方向に沿って形成された複数の係止凹部に対して選択的に係合可能な係合突起を備えたロック部材を、係合位置と係合解除位置とに切換え自在に設けてある。
【０００３】
また、特許文献２に開示されている清掃具の場合では、清掃体を備えた合成樹脂製の丸棒状の支持柄を、筒状に成形された合成樹脂製の握柄の差し口に対して伸縮移動自在に挿入するとともに、前記握柄の差し口側端部には、支持柄に長手方向に沿って形成された複数の係止凹部に対して径方向から係合可能な突起部を備え、かつ、径方向内方に弾性変形可能な一対の係止片を一体形成するとともに、この両係止片に外装した絞り筒体の伸縮方向でのスライド操作により、両係止片の突起部を握柄の係止凹部に係合させた絞り状態と握柄の係止凹部に対して両係止片の突起部を径方向外方に離脱させた絞り解除状態とに切換え自在に構成してある。
【０００４】
更に、特許文献３に開示されている清掃具の場合では、清掃体を備えた金属線材製の支持杆を、平面視において略角Ｕの字状に形成して、その後半側を把手部に構成するとともに、前記支持杆の把手部には、これと同じ幅で長方形状に折り曲げ形成された金属線材製の補助把手杆を、二つの連結金具を介して伸縮方向に摺動自在に連結し、この補助把手杆の先端には、二つの連結金具に対して選択的に係合可能な係止金具を取付け、支持杆の把手部に対して補助把手杆を二段に伸縮自在に構成してある。
【０００５】
【特許文献１】実開昭６２−２０２２６０号公報
【特許文献２】実用新案登録第３００４６５７号公報
【特許文献３】実公大１２−５１０１号公報
【発明の開示】
【発明が解決しようとする課題】
【０００６】
特許文献１，２の清掃具の場合は、ロック部材の押し込み操作又は絞り筒体のスライド操作によって、清掃具を多段階的に伸縮調節することができるとともに、合成樹脂製の握柄によってソフトに把持することができるものの、清掃体を備えた支持柄に形成される多数の係止凹部に水垢等が溜まり易い問題がある。
【０００７】
また、特許文献３の清掃具の場合は、清掃体を備えた支持杆及び補助把手杆が共に金属線材から製作されているため、水垢等が溜まり難い利点を有するものの、把持し難く、しかも、伸縮調節段数が少なくなる問題がある。
【０００８】
本発明は、上述の実状に鑑みて為されたものであって、その主たる課題は、清掃具を多段階的に迅速、容易に伸縮調節することができるものでありながら、把持し易く、かつ、水垢等が溜まり難い有用な清掃具を提供する点にある。
【課題を解決するための手段】
【０００９】
本発明による第１の特徴構成は、清掃体を備えた金属線材製の支持杆を、合成樹脂製の握柄に対して伸縮移動自在に取付け、この握柄に、前記支持杆の被係止部の伸縮移動経路に対して遠近方向に移動自在な係止操作体を設け、この係止操作体と握柄との相対向する部位の少なくとも一方には、係止操作体が伸縮移動経路側に最も近接する係止位置にあるとき、支持杆の被係止部を伸縮移動経路の複数位置で選択的に係止保持する係止部を形成し、前記支持杆のうち、少なくとも握柄に対して伸縮移動自在に取付けられる部位が伸縮移動方向に沿って細長い環状に形成され、この細長環状杆部の先端における短辺側杆部分が前記被係止部に形成されている点にある。
【００１０】
上記特徴構成によれば、前記握柄に設けた係止操作体を、支持杆の被係止部の伸縮移動経路に対して離間する係止解除位置に操作したときには、係止操作体と握柄との相対向する部位の少なくとも一方に形成された係止部が支持杆の被係止部から離脱するため、握柄に対して清掃体を備えた支持杆を任意の位置に伸縮調節することができる。
また、前記握柄に設けた係止操作体を、支持杆の被係止部の伸縮移動経路側に最も近接する係止位置に操作することにより、係止操作体と握柄との相対向する部位の少なくとも一方に形成された係止部が支持杆の被係止部に係止し、支持杆が握柄に対して新たな伸縮調節位置で固定される。
【００１１】
従って、合成樹脂製の握柄を介してソフトに把持し易く、かつ、清掃体を備えた支持杆を握柄に対して多段階的に迅速、容易に伸縮調節することができるものでありながら、清掃体を備えた支持杆が金属線材製であるために、水垢等の溜まりを良好に抑制することができる。
【００１２】
本発明による第２の特徴構成は、清掃体を備えた金属線材製の支持杆を、合成樹脂製の握柄に対して伸縮移動自在に取付け、この握柄のうち、前記支持杆の被係止部の伸縮移動経路に臨む部位に、支持杆の被係止部を伸縮移動経路の複数位置で選択的に係止保持するための係止部を形成してある係止操作体を、伸縮移動経路側に最も近接する係止位置と支持杆の被係止部から離脱させた係止解除位置に揺動操作自在に枢着した点にある。
【００１３】
上記特徴構成によれば、前記握柄に枢着した係止操作体を、支持杆の被係止部の伸縮移動経路に対して離間する係止解除位置に揺動操作したときには、係止操作体に形成された係止部が支持杆の被係止部から離脱するため、握柄に対して清掃体を備えた支持杆を任意の位置に伸縮調節することができる。
また、前記握柄に枢着した係止操作体を、支持杆の被係止部の伸縮移動経路側に最も近接する係止位置に揺動操作することにより、係止操作体に形成された係止部が支持杆の被係止部に係止し、支持杆が握柄に対して新たな伸縮調節位置で固定される。
【００１４】
従って、合成樹脂製の握柄を介してソフトに把持し易く、かつ、清掃体を備えた支持杆を握柄に対して多段階的に迅速、容易に伸縮調節することができるものでありながら、清掃体を備えた支持杆が金属線材製であるために、水垢等の溜まりを良好に抑制することができる。
【００１５】
本発明による第３の特徴構成は、前記支持杆のうち、少なくとも握柄に対して伸縮移動自在に取付けられる部位が伸縮移動方向に沿って細長い環状に形成され、この細長環状杆部の先端における短辺側杆部分が前記被係止部に形成されている点にある。
【００１６】
上記特徴構成によれば、握柄に対して伸縮移動自在に取付けられる支持杆の部位を、伸縮移動方向に沿って細長い環状に形成することによって、この支持杆の伸縮移動部位の剛性を高めることができるとともに、この剛性の高い細長環状杆部の先端における短辺側杆部分を利用して前記被係止部を頑丈に構成することができる。
【００１７】
本発明による第４の特徴構成は、前記握柄と係止操作体との間に、係止操作体の係止位置及び係止解除位置への切換え操作を許容する状態で該係止操作体を係止位置に係止保持可能な係止手段が設けられている点にある。
【００１８】
上記特徴構成によれば、前記係止操作体の係止位置及び係止解除位置への切換え操作を自由に行いながらも、握柄と係止操作体との間に設けた係止手段により、係止操作体を係止位置に確実に保持して、握柄に対して支持杆を調節後の伸縮調節位置に固定維持することができる。
【００１９】
本発明による第５の特徴構成は、清掃体を備えた金属線材製の支持杆を、合成樹脂製の握柄に対して伸縮移動自在に取付け、この握柄に、前記支持杆の被係止部の伸縮移動経路に対して遠近方向に移動自在な係止操作体を設け、この係止操作体と握柄との相対向する部位の少なくとも一方には、係止操作体が伸縮移動経路側に最も近接する係止位置にあるとき、支持杆の被係止部を伸縮移動経路の複数位置で選択的に係止保持する係止部を形成し、前記握柄と係止操作体との間に、係止操作体の係止位置及び係止解除位置への切換え操作を許容する状態で該係止操作体を係止解除位置に仮止め保持可能な仮止め保持手段が設けられている点にある。
【００２０】
上記特徴構成によれば、前記握柄に設けた係止操作体を、支持杆の被係止部の伸縮移動経路に対して離間する係止解除位置に操作したとき、握柄と係止操作体との間に設けた仮止め保持手段によって係止操作体が係止解除位置に仮止め保持されるから、この係止操作体を係止解除位置に保持する必要がなく、握柄に対する支持杆の伸縮位置調節を容易に行うことができる。
【００２１】
本発明による第６の特徴構成は、前記握柄に、支持杆の細長環状杆部における長辺側杆部分を伸縮方向に摺動自在に案内するガイド溝が形成されている点にある。
【００２２】
上記特徴構成によれば、支持杆の細長環状杆部を握柄に形成されたガイド溝に沿って伸縮方向にスムーズに摺動案内することができるとともに、握柄のガイド溝に支持杆の細長環状杆部が嵌合する分だけ清掃具の幅をコンパクトに構成することができる。
【００２３】
本発明による第７の特徴構成は、前記握柄のうち、係止操作体の係止部と相対向する部位には、係止部に対応した係止位置に支持杆の被係止部を仮保持するための仮保持用係止部が形成されている点にある。
【００２４】
上記特徴構成によれば、前記握柄に設けた係止操作体を、支持杆の被係止部の伸縮移動経路に対して離間する係止解除位置に操作したときでも、握柄側の対向部位に形成されている仮保持用係止部により、支持杆の被係止部を係止部に対応した係止位置に正確に仮保持することができ、握柄に対する支持杆の伸縮位置調節を確実、迅速、容易に行うことができる。
【発明を実施するための最良の形態】
【００２５】
〔第１実施形態〕
図１〜図９は清掃具の一例である食器洗浄具を示し、清掃体の一例である洗浄用スポンジ１を突き刺し状態で保持する合成樹脂製の保持部材２を備えたステンレス鋼等の金属線材製の支持杆３が、合成樹脂製の握柄４に対して柄長手方向に伸縮移動自在に取付けられているとともに、前記握柄４のうち、前記支持杆３の被係止部３ａの伸縮移動経路に臨む部位には、支持杆３の被係止部３ａを伸縮移動経路の複数位置で選択的に係止保持するための係止部５を形成してある係止操作体６が、図５（イ）に示すように伸縮移動経路側に最も近接する係止位置と、図５（ロ）に示すように支持杆３の被係止部３ａから離脱させた係止解除位置とに左右方向の横軸芯Ｘ周りで揺動操作自在に枢着され、更に、前記握柄４のうち、係止操作体６の係止部５と相対向する部位には、係止部５の各係止位置に対応した複数の係止位置で支持杆３の被係止部３ａを仮保持するための仮保持用係止部７が形成されている。
【００２６】
前記握柄４と係止操作体６との間には、係止操作体６の係止位置及び係止解除位置への切換え操作を許容する状態で該係止操作体６を係止位置に係止保持可能な係止手段８と、前記係止操作体６の係止位置及び係止解除位置への切換え操作を許容する状態で該係止操作体６を係止解除位置に仮止め保持可能な仮止め保持手段９が設けられている。
【００２７】
前記保持部材２は、支持杆３を構成する一本の金属線材の両端部３Ｂが埋設状態で一体的に固着される連結部２Ａと、これの一端側において洗浄用スポンジ１の一側面に当て付けられる鍔部２Ｂと、これから突設される一対の棒状の突き刺し部２Ｃとを合成樹脂で一体成形してなり、前記各突き刺し部２Ｃには、洗浄用スポンジ１の抜け出し移動を阻止する多数の抜止め用突起２ａが一体形成されている。
【００２８】
前記支持杆３のうち、少なくとも握柄４に対して伸縮移動自在に取付けられる部位３Ａが伸縮移動方向に沿って略長方形状の細長い環状に形成され、この細長環状杆部３Ａの先端における短辺側杆部分が前記被係止部３ａに構成されているとともに、前記細長環状杆部３Ａの被係止部３ａが、握柄４の左右の両側面に貫通形成された伸縮移動方向に沿う伸縮ガイド孔１１に貫通保持されている。
【００２９】
また、前記支持杆３の細長環状杆部３Ａにおける左右方向での外側幅Ｗ１は、握柄４の左右方向での横幅Ｗ２と同一又は略同一に構成されているとともに、前記握柄４の先端部４Ａにおける左右の両外側面には、支持杆３の細長環状杆部３Ａにおける長辺側杆部分３ｂを伸縮方向に摺動自在に案内する横断面略半円弧状のガイド溝４ａが形成されている。
【００３０】
また、前記握柄４には、支持杆３の被係止部３ａの伸縮移動経路に臨む状態で上面（表面）側に開口し、かつ、前記係止操作体６の係止部５が係合位置で入り込む長方形状の装着口４Ｂが形成されているとともに、この装着口４Ｂ内の係合位置にまで係止操作体６の係止部５が入り込んだ状態では、図７に示すように、該係止操作体６の外面６ａと握柄４の外面４ｂとが面一で円弧状に連続するように構成されている。
【００３１】
前記係止操作体６の係止部５は、図５（イ），（ロ）に示すように、細長環状杆部３Ａの被係止部３ａが入り込み可能な係止溝５ａと、該係止溝５ａの伸縮方向両側に位置する間隔規制用凸部５ｂとを略角波形状に連続形成して構成されている。
【００３２】
前記仮保持用係止部７は、係止部５を構成する複数の係止溝５ａの係止中心位置にそれぞれ対応した位置が最も低くなる谷部７ａと、間隔規制用凸部５ｂの中心位置に対応した位置が最も高くなる山部７ｂとを緩やかな波形状に連続形成して、前記複数の谷部７ａ及び山部７ｂに沿って支持杆３の被係止部３ａが載置状態で摺動操作自在に構成されているとともに、前記谷部７ａで支持杆３の被係止部３ａを選択的に仮保持するように構成されている。
【００３３】
前記係止手段８は、図５に示すように、前記係止操作体６の先端部に形成した柄長手方向でもある前後方向に弾性変形可能な係合凸部８ａと、握柄４の後端部に形成した係合凹部８ｂとからなり、係止解除位置にある係止操作体６が係止位置に揺動操作されたときには、係合凸部８ａが弾性変形しながら乗越えて係合凹部８ｂに係合することにより係止操作体６を係止位置に係止保持し、係止位置にある係止操作体６が係止解除位置に揺動操作されたときには、係合凸部８ａが弾性変形しながら乗越えて係合凹部８ｂから係合離脱するように構成されている。
【００３４】
前記仮止め保持手段９は、握柄４の先端側の弧状凹面４ｃに突出形成された第１小突起９ａと、係止操作体６の揺動基端側の弧状凸面６ｂに突出形成された第２小突起９ｂとからなり、前記第１小突起９ａと第２小突起９ｂとの係合に伴う弾性変形により、係止操作体６の係止位置及び係止解除位置への切換え操作を許容しながら、第１小突起９ａと第２小突起９ｂとの係合により、係止操作体６を係止解除位置に仮止め保持可能に構成されている。
【００３５】
前記握柄４の後端部には、食器洗浄具を吊下げスタンド等に吊下げるためのステンレス鋼等の金属線材製の吊下げ係止部材１２が揺動自在に取付けられているとともに、前記握柄４の外面４ｂの裏面側には多数の滑り止め用穴４ｄが形成されている。
【００３６】
〔第２実施形態〕
上述の第１実施形態では、前記握柄４に揺動自在に枢着された係止操作体６に、支持杆３の被係止部３ａを伸縮移動経路の複数位置で選択的に係止保持するための係止部５を形成したが、図１０（イ）、（ロ）に示すように、前記握柄４のうち、係止操作体６の平滑な一直線状の押え面６ｃと相対向する部位に、支持杆３の被係止部３ａを伸縮移動経路の複数位置で選択的に係止保持するための係止部５を形成してもよい。
【００３７】
前記係止部５は、細長環状杆部３Ａの被係止部３ａが入り込み可能な係止溝５ａと、該係止溝５ａの伸縮方向両側に位置する間隔規制用凸部５ｂとを略角波形状に連続形成して構成されている。
尚、その他の構成は、第１実施形態で説明した構成と同一であるから、同一の構成箇所には、第１実施形態と同一の番号を付記してそれの説明は省略する。
【００３８】
〔その他の実施形態〕
（１）上述の各実施形態では、前記係止操作体６を握柄４に揺動自在に枢着したが、この係止操作体６を平行四連リンクで握柄４に対して平行移動自在に取付けてもよく、また、係止操作体６を握柄４に対して脱着自在に構成してもよい。
要するに、前記係止操作体６は、支持杆３の被係止部３ａの伸縮移動経路に対して遠近方向に移動操作可能な状態で握柄４に設けられていればよい。
（２）上述の実施形態では、前記係止操作体６又は握柄４に、係止操作体６が伸縮移動経路側に最も近接する係止位置にあるとき、支持杆３の被係止部３ａを伸縮移動経路の複数位置で選択的に係止保持する係止部５を設けたが、この係止部５を、係止操作体６と握柄４との相対向する部位に分散形成してもよい。
（３）上述の実施形態では、前記清掃体１として洗浄用スポンジを例に挙げて説明したが、ブラシ等の他の清掃体であってもよい。
【図面の簡単な説明】
【００３９】
【図１】本発明の第１実施形態の食器洗浄具を示し、（イ）係止状態にあるときの斜視図（ロ）係止解除操作したときの斜視図
【図２】食器洗浄具の一部を分解したときの斜視図
【図３】食器洗浄具の平面図
【図４】食器洗浄具の側面図
【図５】（イ）係止状態にあるときの縦断側面図（ロ）係止解除状態にあるときの縦断側面図
【図６】（イ）最大収縮状態にあるときの水平断面図（ロ）最大伸長状態にあるときの水平断面図
【図７】図５のＶＩＩ−ＶＩＩ線での拡大断面図
【図８】図５のＶＩＩＩ−ＶＩＩＩ線での拡大断面図
【図９】（イ）係止状態にあるときの揺動基端部側の拡大縦断側面図（ロ）係止解除状態にあるときの揺動基端部側の拡大縦断側面図
【図１０】本発明の食器洗浄具の第２実施形態を示し、（イ）係止状態にあるときの縦断側面図（ロ）係止解除状態にあるときの縦断側面図
【符号の説明】
【００４０】
１        清掃体（洗浄用スポンジ）
３        支持杆
３Ａ      細長環状杆部
３ａ      被係止部（短辺側杆部分）
３ｂ      長辺側杆部分
４        握柄
４ａ      ガイド溝
５        係止部
６        係止操作体
７        仮保持用係止部
８        係止手段
９        仮止め保持手段
【図１】
0004636975.tif 000002
【図２】
0004636975.tif 000003
【図３】
0004636975.tif 000004
【図４】
0004636975.tif 000005
【図５】
0004636975.tif 000006
【図６】
0004636975.tif 000007
【図７】
0004636975.tif 000008
【図８】
0004636975.tif 000009
【図９】
0004636975.tif 000010
【図１０】
0004636975.tif 000011